(57)【要約】【課題】  定着加圧部通過後の剥離ブリスターの発生やその剥離ブリスターに起因した定着不良および紙しわの発生や、トナー像の先端像ずれ現象の発生などを抑制する。【解決手段】  回転する無端状の定着ベルトと、この定着ベルトを加熱する加熱装置と、この加熱された定着ベルトの外周面に圧接して定着加圧部を形成する加圧回転体と、この加圧回転体で形成される定着加圧部に進入する付近の定着ベルト部分の内周面に面接触してそのベルト部分を支持する支持体と、この支持体を加熱する加熱装置と、この支持体で支持される定着ベルトの領域内でその外周面から圧接し、定着加圧部に導入される前の記録用紙をその定着ベルト外周面に押し付ける押圧体とを備えた定着装置であって、その支持体の定着ベルトとの接触面の温度がそのベルト回転方向の上流側領域よりもその下流側領域の方が低い関係（たとえば１０℃以上の温度差）になるように構成した。【選択図】    図１
2005300980.tif 000002
【特許請求の範囲】
【請求項１】
循環するように回転する無端状の定着ベルトと、
この定着ベルトを加熱する加熱装置と、
この加熱装置で加熱された定着ベルトの外周面に圧接して定着加圧部を形成し、その定着加圧部に定着対象のトナー像が担持された記録用紙を導入して定着ベルトの外周面に圧接させて通過させる加圧回転体と、
この加圧回転体で形成される前記定着加圧部に進入する前の前記定着ベルト領域の内周面に面接触してそのベルト部分を支持する支持体と、
この支持体を加熱する加熱装置と、
前記支持体で支持される前記定着ベルトの領域内でその外周面から圧接し、前記定着加圧部に導入される前の前記記録用紙をその定着ベルト領域内の外周面に押し付ける押圧体とを備え、
かつ、前記支持体の定着ベルトとの接触面の温度がそのベルト回転方向の上流側領域よりもその下流側領域の方が低い関係になるように構成されていることを特徴とする定着装置。
【請求項２】
前記支持体の接触面の上流側領域の温度とその下流側領域の温度との温度差が１０℃以上となるように設定されている請求項１に記載の定着装置。
【請求項３】
前記支持体を加熱する加熱装置が、少なくとも支持体のベルト回転方向の上流側領域および下流側領域をそれぞれ加熱する別体のものである請求項１に記載の定着装置。
【請求項４】
前記押圧体が複数の支持ロールに張架されて回転する押圧ベルトであり、その複数の支持ロールのうち２以上の支持ロールを前記支持体で支持される定着ベルト領域内の回転方向上流側端部およびその下流側端部にその押圧ベルトを介した状態で回転可能に圧接させるように設置している請求項１に記載の定着装置。
【発明の詳細な説明】
【技術分野】
【０００１】
本発明は、定着対象のトナー像が担持された記録用紙を、加熱されて回転する無端状の定着ベルトに密着させた状態で搬送した後に剥離することにより定着処理を行うタイプの定着装置に関するものである。
【背景技術】
【０００２】
近年、電子写真方式、静電記録方式等の画像形成方式を利用したプリンタ、複写機、複合機等の画像形成装置に使用される定着装置として、回転する張架状態の定着ベルトを使用し、その定着ベルトを加熱しつつそのベルト外周面に対して未定着のトナー像が担持された記録用紙を圧接させ、その定着ベルトに密着させた状態のままで冷却しながら搬送し、最後に定着ベルトから剥離させることでトナー像を定着させるタイプのベルト定着装置が提案されている（特許文献１、２）。
【０００３】
このタイプの定着装置によれば、記録用紙上のトナー像が定着ベルトの平滑な表面にならって表面平滑な状態で冷却固化された後に定着ベルトから剥離されるため、特に光沢感に優れた定着画像が得られるようになる。また、記録用紙の定着ベルトからの剥離はトナーが冷却固化された後に行われるため、トナーが定着ベルトに転移付着するオフセットも発生しにくくなる利点がある。
【０００４】
ところが、このような定着装置においては、記録用紙に含まれる水分が定着時の加熱により気化膨張して用紙の外部に抜けて定着ベルトとの間に水蒸気として溜まり、その水蒸気の蒸気圧の作用を受けて記録用紙が定着ベルトから剥離することがあり（以下、この現象を「剥離ブリスター」と呼ぶ）、この現象によりトナー像が冷却固化する前に定着ベルトから剥離してしまうと、次のような定着不良の１種でもある光沢の低下や光沢むらが発生する。また、特に上記定着加圧部（記録用紙が定着ベルトに最初に強く圧接させる部位）を通過した後に記録用紙を定着ベルト側に押し付けるように保持する部材が存在する場合には、次のような紙しわが発生する。
【０００５】
つまり、剥離ブリスターにより定着ベルトから剥離したトナー像部分は、そのベルトの平滑面にならって固化せずにトナー像表面が本来もつ凹凸感が残ることとなり、この結果、かかる剥離が起こらないトナー像部分に比べると、その光沢感が低下したものとなったり、あるいは、その剥離したトナー像部分がトナー像全体の一部である場合に光沢感が異なる部分が混在するという光沢むらになる。また、剥離ブリスターにより定着ベルトから剥離して浮いた記録用紙の部分は、その浮いた状態の用紙部分が寄せ集められて前記したような保持部材を通過する際に座屈して折れ曲がることでしわとなる。
【０００６】
これに対し、従来においても、上記タイプの定着装置とは異なるタイプ（定着対象のトナー像が担持された記録用紙を定着加圧部の通過直後に剥離させるタイプ）の定着装置ではあるものの、次のような構成からなる定着装置が知られている。
【０００７】
その１つは、加熱ローラと従動ローラとの間に張架された無端状の定着ベルトと、その従動ローラに対向して設けた加圧ローラとを備えた定着装置であって、その従動ローラに支持された定着ベルトと加圧ローラの間に形成される定着ニップ部の入口の上流側に定着ベルトに圧接する補助ロールを設けたものである（特許文献３）。そして、この定着装置では、ホットオフセット現象が発生することなく、予熱工程において定着ベルトと未定着トナー像を十分に接近させる必要がなく、その未定着トナー像が定着ベルトに接触して画像乱れが発生することがなくなる等の効果が得られるとしている。
【０００８】
もう１つは、第１定着ローラと発熱ローラとの間に張架されたベルト部材と、その第１定着ローラとの間でニップ部を形成する第２定着ローラとを備えた定着装置であり、そのベルト部材の内側より当接してそのベルト部材を加熱する面状の発熱体を設け、そのベルト部材に転写材を静電的に密着させて予備加熱を行うとともに、そのニップ部にて記録用紙上のトナー像を定着するようにしたものである（特許文献４）。そして、この定着装置では、ベルト部材のウォーミングアップ時間の短縮化や連続プリント時のベルト温度の安定化または均一化を図ることができる等の効果が得られるとしている。
【０００９】
【特許文献１】特開平７−５７８１号公報（段落００１５、図３など）
【特許文献２】特開平７−２１９３６６号公報（段落００１５、図２など）
【特許文献３】特開平９−２８１８２２号公報（請求項１、図１など）
【特許文献４】特開２００１−１６６６１７号公報（請求項１、図３など）
【発明の開示】
【発明が解決しようとする課題】
【００１０】
しかしながら、この２つの異なるタイプの定着装置は、そのいずれも定着ニップ部等を通過した直後に記録用紙を剥離させるものであって、記録用紙を定着ベルトの外周面に圧接させる定着加圧部を通過させた後もそのベルト外周面に密着させた状態で搬送するものではないため、前述したようなタイプの定着装置における剥離ブリスターが発生することがなく、この結果、その剥離ブリスターに起因した光沢ムラ等の定着不良や紙しわが発生することもない。従って、この定着装置は、前述した定着加圧部の通過後における剥離ブリスターの発生とは無縁のものである。
【００１１】
また、このタイプの定着装置は、その定着ニップ部の上流側で補助ローラまたは面状加熱体を配置したベルト部分においてトナーと記録用紙を予備加熱するものであるが、その予備加熱の目的が、前記定着加圧部の通過後における剥離ブリスターの発生を防止するものではない。しかも、その予熱加熱工程は、記録用紙を内周面側に支持部材がない定着ベルトに補助ローラで圧接させるか、あるいは、記録用紙を面状の固定発熱体で加熱した定着ベルトに静電的に密着させる程度であるため、記録用紙を定着ベルトとの間で強固に挟持した状態で圧接させるものではなく、このため、その用紙と加熱状態の定着ベルトとの密着性を十分に得ることができず、未定着トナー像の中途半端な定着ベルトとの圧接や予備加熱で発生する水蒸気等により像乱れなどが発生するおそれがある。
【００１２】
本発明は、上述したような問題点を解消するためになされたものであり、少なくとも、定着加圧部を通過した後の定着ベルトと記録用紙との間における剥離ブリスターの発生を防止することができ、しかも、かかる剥離ブリスターに起因した光沢ムラ等の定着不良や紙しわの発生を防止することもできる定着装置を提供するものである。そして、本発明は、上記剥離ブリスターの発生やその剥離ブリスターに起因した定着不良および紙しわの発生を防止できることに加え、たとえば後述するようなトナー像の先端部における像ずれ現象の発生なども抑制することができる定着装置を提供するものである。
【課題を解決するための手段】
【００１３】
本発明の定着装置は、循環するように回転する無端状の定着ベルトと、この定着ベルトを加熱する加熱装置と、この加熱装置で加熱された定着ベルトの外周面に圧接して定着加圧部を形成し、その定着加圧部に定着対象のトナー像が担持された記録用紙を導入して定着ベルトの外周面に圧接させて通過させる加圧回転体と、この加圧回転体で形成される前記定着加圧部に進入する前の前記定着ベルト領域の内周面に面接触してそのベルト部分を支持する支持体と、この支持体を加熱する加熱装置と、前記支持体で支持される前記定着ベルトの領域内でその外周面から圧接し、前記定着加圧部に導入される前の前記記録用紙をその定着ベルト領域内の外周面に押し付ける押圧体とを備え、かつ、前記支持体の定着ベルトとの接触面の温度がそのベルト回転方向の上流側領域よりもその下流側領域の方が低い関係になるように構成されていることを特徴とするものである。
【００１４】
前記支持体の接触面の上流側領域の温度とその下流側領域の温度との温度差が１０℃以上、より好ましくは２０℃以上となるように設定されている。また、前記支持体を加熱する加熱装置は、特に限定されるものではないが、たとえば、少なくとも支持体のベルト回転方向の上流側領域および下流側領域をそれぞれ加熱する別体のものとするとよい
【００１５】
前記押圧体は、特に限定されるものではないが、たとえば、複数の支持ロールに張架されて回転する押圧ベルトであり、その複数の支持ロールのうち２以上の支持ロールを前記支持体で支持される定着ベルト領域内にその押圧ベルトを介した状態で回転可能に圧接させるように設置するものにするとよい。
【発明の効果】
【００１６】
本発明の定着装置によれば、定着対象のトナー像を担持する記録用紙が、定着加圧部に導き入れられる前に少なくとも支持体で支持されて加熱された状態にある定着ベルト領域の外周面に対して押圧体により圧接されるので、支持体で支持されて加熱状態にある定着ベルトに強固に圧接されてそのトナー像が加圧下で予熱されることで像乱れの発生のおそれもなく仮定着されたような状態になり、しかる後に定着ベルトと加圧回転体とが圧接する定着加圧部に導き入れられることとなる。
【００１７】
しかも、この定着装置では、支持体の定着ベルトとの接触面の温度がそのベルト回転方向の上流側領域よりもその下流側領域の方が低いため、その支持体で支持される定着ベルトの領域に押圧体で圧接されて通過する記録用紙が、その温度関係の影響をうけて、最初にある温度で加熱された後にそれよりも低い温度で加熱されるようになる。特にこれにより、記録用紙に仮定着されるトナー像の一部が過剰に加熱されることで定着ベルト側に転移付着することを抑制することができ、後述する先端像ずれの発生を抑制するうえで有利となる。
【００１８】
以上のような定着動作が行われることから、記録用紙の含水率が定着加圧部に突入する前にわずかながら減少し、その分、定着加圧部を通過した後における記録用紙からの水蒸気の発生が抑えられるようになるため、定着加圧部を通過した後の剥離ブリスターの発生が低減されるようになる。また、上記トナー像の仮定着がなされることにより、定着加圧部を通過した後の剥離ブリスターの発生を抑える観点から、定着加圧部などにおける（本定着のための）加熱温度を低めに設定することも可能となる。
【００１９】
従って、この定着装置を使用した場合には、少なくとも、その剥離ブリスターに起因した光沢ムラ等の定着不良や紙しわの発生もない、光沢感に優れた定着画像を安定して得ることが可能となる。
【００２０】
また、支持体の接触面における上流側領域および下流側領域の温度差が１０℃以上となるように設定した場合には、定着加圧部を通過した後の剥離ブリスターの発生をより確実に防止できるようになるとともに、後述する先端像ずれの発生を確実に抑制できるようになる。また、その温度差が２０℃以上となるように設定した場合には、後述するハイライト紋様の発生をも抑制できるようになる。
【００２１】
また、前記支持体を加熱する加熱装置として、少なくとも支持体のベルト回転方向の上流側領域および下流側領域をそれぞれ加熱する別体のものを採用した場合には、前記したような支持体の接触面における温度差を確実にかつ効率よく実現することができる。
【００２２】
また、前記押圧体を前記したような複数の支持ロールに張架されて回転する押圧ベルトとした場合には、その押圧ベルトで定着ベルトに圧接される記録用紙から発生する水蒸気をその用紙内に閉じ込めてその記録用紙の押圧ベルトとの密着性を維持してトナー像をむらなく予熱することが可能となり、トナー像の良好な仮定着を行ううえで有利となる。また、後述する先端像ずれの発生を抑制するうえでも有利となる。
【００２３】
さらに、この押圧ベルトによる押付区間を通過する際の記録用紙は、支持体で支持される定着ベルト領域内にその押圧ベルトを介した状態で回転可能に圧接している２以上の支持ロールによる押圧を受けて定着ベルト側に強固に圧接されるようになり、これにより上記押付区間内において記録用紙から発生する水蒸気の圧力によって記録用紙が定着ベルトから浮くことを抑制することができ、記録用紙がむらなく加熱されることとなる。
【発明を実施するための最良の形態】
【００２４】
［実施の形態１］
図１は、本発明の実施形態１に係る定着装置の要部を示す概略構成図である。この定着装置１は、トナー像を形成して記録用紙に転写し得るプリンタ、複写機等の画像形成装置における定着手段として使用される。
【００２５】
定着装置１は、矢印方向Ａに回転する無端状の定着ベルト１０と、この定着ベルト１０を主に加熱する加熱板２０と、この加熱板２０により加熱された定着ベルト１０を挟むような状態で対向して圧接配置される一対の加圧ロール３０、３１と、この一対の加圧ロールのうち定着ベルト１０の外周面側に配置される第２加圧ロール３１にも支持されつつ定着ベルト１０と所定の距離だけ当接して同じ方向に移動するように回転する加圧ベルト３５と、加圧ロール３０、３１を通過した後の定着ベルト１０の内周面側に接触するように配置されて定着ベルト等を冷却する冷却装置４０と、ベルト支持板５０と、このベルト支持板５０を加熱する面状ヒータ（ラバーヒータなど）５５と、この支持板５０に支持される定着ベルト１０の領域に圧接される押圧体としての押圧ベルト６０等を具備するものである。図中の符号Ｐは記録用紙、Ｔはその記録用紙Ｐに担持されるトナー像である。また、図中の実線矢印は主な回転部品の回転方向を示し、矢付一点鎖線は記録用紙Ｐの搬送経路を示す。
【００２６】
定着ベルト１０は、カーボンブラック等の導電材を含有させたポリイミド等からなる厚さ５０μｍ程度のベルト基材上に、厚さ６０μｍ程度のシリコーン共重合体等からなる弾性層と、さらにフッ素ゴム等からなる表面離型層をこの順に積層形成した３層構造のものである。この定着ベルト１０は、駆動ロール１５、加熱ロール２５、ベルト支持ロール１６、第一加圧ロール３０、剥離ロール１７、テンションロール１８等の複数の支持ロールに張架されており、図示しない駆動モータ等を備えた駆動源と接続された駆動ロール１５によって矢印Ａ方向に回転するようになっている。
【００２７】
駆動ロール１５は、前記した駆動機能のほかに、そのロールの一端側が所定の方向に変位して定着ベルト１０の蛇行走行を矯正する機能（ステアリング機能）も発揮するように構成されている。剥離ロール１７は、定着ベルト１０を急激に曲がった状態で移動走行させるように支持し、これにより定着ベルト１０に密着して搬送される記録用紙Ｐをそれ自身の腰の強さ（剛性）を利用してその急激に曲がって走行する定着ベルト１０から自力で剥離させる機能を果たすようになっている。テンションロール１８は、定着ベルト１０に所定の張力を付与して、そのベルトの張りを整えて回転駆動の安定化を図るようになっている。
【００２８】
加熱板２０は、定着ベルト１０と接触する側の面がそのベルト回転方向Ａにそって所定の曲率（たとえばＲ９００ｍｍ程度）からなる湾曲鏡面に形成された基板（たとえばアルミニウム基板）２１と、その基板２１の定着ベルト１０が接触しない側の面に設置した面状ヒータ２２とで構成されている。加熱ロール２５は、円筒状の金属（アルミニウム等）製ロールの内部にハロゲンランプ等の加熱源を配置した構造からなるものであり、定着ベルト１０をその内周面側から加熱する。この加熱板２０と加熱ロール２５における加熱温度は、１００〜１４０℃の温度範囲に設定される。また、加熱板２０と加熱ロール２５の加熱温度は、同じ温度、異なる温度のいずれであっても構わない。
【００２９】
加圧ロール３０、３１はいずれも、円筒形からなる外径が９０ｍｍ程度の金属（アルミニウム等）製ロール基体にシリコーンゴム（たとえば硬度１７°程度）等からなる厚さ６ｍｍ程度の耐熱弾性層を形成した構造のものである。また、この一対の加圧ロール３０，３１は、図示しない加圧機構により所定の加圧力（例えばニップ圧力が２．５×１０5Ｐａ程度になる圧力）でもって圧接し、そのニップ幅が２０ｍｍ程度となるように設置されている。また、この加圧ロール３０、３１は、その内部空間にハロゲンランプ等の加熱源を配しており、これにより、各加圧ロール３０，３１を定着動作時に必要な温度（好ましくは通常の定着加熱温度よりも少し低めの温度）に保たれるように加熱するように設定されている。
【００３０】
加圧ベルト３５は、ポリイミド等からなる厚さ５０μｍ程度のベルト基材上にシリコーンゴム等からなる厚さ６０μｍ程度の弾性層と、さらにシリコーン樹脂等からなる厚さ１０μｍ程度の表面離型層をこの順に積層形成した３層構造のものである。また、この加圧ベルト３５は、第２加圧ロール３１、複数のベルト支持ロール３６〜３９に張架されており、第１加圧ロール３０と第２加圧ロール３１の間に挟まれて第１加圧ロール３０の回転動力が伝達されることによって矢印Ｂ方向に回転するようになっている。この加圧ベルト４０は、第２加圧ロール３１とベルト支持ロール３９の所定の区間で定着ベルト１０の外周面と接して同じ方向に回転移動する。この加圧ベルト４０と定着ベルト１０との接触区間は、記録用紙Ｐをその定着ベルト１０に圧接させた状態で搬送するための定着加圧部となる。ベルト支持ロールのうちロール３８は、その回転軸の一端側が所定の方向に所定量だけ変位することにより加圧ベルト３５の蛇行走行を矯正するステアリングロールとして機能するように構成されている。
【００３１】
冷却装置４０は、第１加圧ロール３０とベルト支持ロール１７との間で定着ベルト１０の内周面に接する放熱板４１と、この放熱板４１を空冷する空冷装置４２とで構成されている。放熱板４１は、アルミニウム等の金属にて形成される板状の基板と、定着ベルトと接する側と反対側の面に立設させた図示しない複数枚の放熱フィンとからなるヒートシンクである。この放熱板４１では、その基板の定着ベルトと接触する接触面が少なくとも外側に突出しかつベルト走行方向に対し緩やかに湾曲した湾曲面に形成されている。空冷装置４２は、送風ファンと、その送風ファンで発生する空気流を放熱板（主にその放熱フィン）４１に接触させるように送る（排気する）ためのダクト（通気管）とで構成されている。この冷却装置４０は、定着ベルト１０に密着した状態で搬送される記録用紙Ｐをそのトナー像Ｔが冷却固化される状態になる程度に冷却できるように設定される。
【００３２】
支持板５０は、図１や図２に示すように、定着ベルト１０が前記定着加圧部に進入する前のベルト領域（換言すれば、第一加圧ロール３０よりもベルト回転方向Ａの上流側でかつベルト支持ロール１６よりもベルト回転方向Ａの下流側となる区間内のベルト領域）をその内周面側から面接触する状態で支持する。この支持板５０としては、定着ベルト１０と接触するベルト接触面がそのベルト回転方向Ａにそって所定の曲率（たとえばＲ９００ｍｍ程度）からなる湾曲鏡面に形成された所定の厚さの板部材（たとえばアルミニウム基板）が使用される。また、この支持板５０は、ベルト回転方向Ａに沿う長さが２００〜４００ｍｍ程度に形成されている。
【００３３】
面状ヒータ５５は、支持板５０のベルト接触面とは反対側の面に支持板５０自体を加熱するためのものであり、このヒータ５５により支持体５０を加熱することにより支持体５０を定着ベルト１０の加熱板としても機能し得るように構成している。また、面状ヒータ５５は、支持板５０のベルト回転方向Ａ上流側となる領域部とその下流側となる領域部をそれぞれ加熱する２つの面状ヒータ５６，５７（上流側面状ヒータ５６、下流側面状ヒータ５７）で構成されている。ここで、支持板の上流側領域部とその下流側領域部は、支持体５０のベルト回転方向Ａに沿う中間地点で２分割したときの各領域である。
【００３４】
この上流側面状ヒータ５６と下流側面状ヒータ５７は、個別に加熱温度を設定することができ、その各設定温度に基づく加熱を行うことができるようになっている。特に、この定着装置１においては、その支持板５０の定着ベルト１０との接触面の温度がベルト回転方向Ａの上流側領域の温度（Ｔ１）よりもその下流側領域の温度（Ｔ２＜Ｔ１）の方が低い関係になるように、上流側面状ヒータ５６および下流側面状ヒータ５７の加熱温度がそれぞれ設定される。
【００３５】
このときの上流側領域の温度（Ｔ１）と下流側領域の温度（Ｔ２）との温度差（Ｔ１−Ｔ２）は、後述するような観点から、少なくとも１０℃以上となるように設定される。またこの場合、支持板接触面における上流側領域の温度（Ｔ１）については、図２に示すように、その接触面のベルト回転方向Ａ上流側の端部近傍（５０ａ）における表面温度とし、その下流側領域の温度（Ｔ２）については、その接触面のベルト回転方向Ａ下流側の端部近傍（５０ｂ）における表面温度とする。また、特に上流側面状ヒータ５６の加熱温度については、少なくとも加熱板２０や加熱ロール２５による定着ベルト１０の加熱温度に対して同等または低めの温度に設定されるが、具体的には１００〜１４０℃程度に設定される。
【００３６】
押圧ベルト６０は、ポリイミド等からなる所定の厚さ（たとえば１３０μｍ程度）の無端状ベルト基材上にシリコーンゴムまたはシリコーン樹脂等からなる所定の厚さ（たとえば５〜２０μｍ程度）の弾性層を積層形成した２層構造のものである。また、この押圧ベルト６０は、３つの押圧ロール６１，６２，６３と１つのテンションロール６４に張架されており、支持板５０で支持される定着ベルト１０領域内にその押圧ベルト１０を介した状態で回転可能に圧接される３つの押圧ロール６１，６２，６３により定着ベルト外周面に押圧された状態で矢印方向Ｃに従動回転するようになっている。つまり、押圧ベルト６０は、第一押圧ロール６１と第三押圧ロール６３との区間（押圧ベルト６０による押付区間に相当する)において定着ベルト１０の外周面に接して同じ方向に回転移動することになる。この区間は、少なくとも、上記支持板５０の接触面における上流側領域および下流側領域の双方をほぼカバーする区間となるように設定される。
【００３７】
３つの押圧ロール６１，６２，６３はいずれも、同じ外径の金属製ロール芯材にシリコーンゴム等からなる所定の厚さの弾性層を形成した弾性ロールであり、バネ部材を利用した図示しない加圧機構により所定の加圧力でもって圧接し、定着ベルト１０の前記支持領域との間におけるニップ幅が所定の幅となるように設置されている。また、この３つの押圧ロール６１，６２，６３は、ベルト回転方向Ｂ（Ｃ）にそって等間隔となるように設置されている。
【００３８】
また、この定着装置１では、その定着に際しては、定着対象のトナー像Ｔが担持された記録用紙Ｐを、上記押圧ベルト６０と定着ベルト１０が圧接した状態で回転移動する間（前記押付区間Ｅ）にむけて図示しない搬送ガイド等により導き入れるように構成されている。
【００３９】
そして、このような定着装置１では、基本的に、画像形成装置の作像部側においてトナー像Ｔが転写された記録用紙Ｐに対して以下のごとき定着が行われる。
【００４０】
まず、トナー画像Ｔが転写された記録用紙Ｐが、図示しない用紙搬送ベルト、搬送ガイド等を通してそのトナー像担持面を定着ベルト１０の外周面に当接させる姿勢で搬送され、定着ベルト１０と押圧ベルト６０との間で形成される押付区間の間（入り口側）に導き入れられる。この際、定着ベルト１０は、加熱板２０と加熱ロール２５により予め所定の温度に加熱された状態で上記押付区間に達して進入する。また、定着ベルト１０は、面状ヒータ５５が設置された支持板５０によっても加熱される。
【００４１】
押付区間の定着ベルト１０の外周面と押圧ベルト６０との間に導入された記録用紙Ｐは、支持板５０で支持されて所定の温度以上に加熱された状態にある定着ベルト１０に対し、３つの押圧ロール６１〜６３を通過する押圧ベルト６０により圧接されて搬送されるとともに加熱される。
【００４２】
これにより、記録用紙Ｐは加圧下で高温加熱される。この加熱により用紙中の水分が水蒸気となって発生し始めるが、かかる水蒸気のほとんどは支持板５０に支持された定着ベルト１０の領域と押圧ベルト６０との間に挟持された状態におかれる記録用紙Ｐの内部に閉じ込められた状態となる。このため、その水蒸気の発生により記録用紙Ｐが定着ベルト１０から浮き上がることもなく、その定着ベルト１０との密着性を維持しながら搬送されるようになるため、そのトナー像がむらなく予熱されて記録用紙Ｐ上に十分な接着強度をもって仮定着されるようになる。
【００４３】
また、支持板５０は、上流側面状ヒータ５６と下流側面状ヒータ５７により異なる温度で加熱されており、そのベルト接触面では上流側領域の温度がその下流側領域の温度よりも低い温度になっているため、上記押付区間を通過する記録用紙Ｐは、そのベルト接触面の下流側領域を通過する段階では、その上流側領域に比べて低い温度で加熱されることになる。これにより、後で詳述するように、押付区間を通過する記録用紙Ｐが過剰に加熱されることが防止されて、その過剰に加熱されて溶融したトナー像の一部が定着ベルト１０に付着することが抑制されるようになる。
【００４４】
この押付区間を通過した後の記録用紙Ｐは、定着ベルト１０にて搬送されてその定着ベルト１０と加圧ベルト３５が圧接する定着加圧部に導入される。ちなみに、押付区間から排出されて定着加圧部に導入される前の区間における記録用紙Ｐは、押圧ベルト６０による押圧作用を受けなくなるため一時的に定着ベルト１０から剥がれやすい状態になるが、実際にはその時間はごくわずかなものであるため問題なくスムーズに定着加圧部に導入されるようになる。
【００４５】
定着加圧部に導入された記録用紙Ｐは、その突入当初は加圧ロール３０、３１により定着に必要な荷重で強く加圧されるとともに、主に定着ベルト１０の予熱により加熱される。また、この定着装置では、加圧ロール３０，３１が加熱源により加熱されているため、その加圧ロール３０，３１によっても加熱されるようになる。ただし、この加圧ロール３０，３１による加熱は、前述したように通常の定着温度よりも低めの温度で行われる。
【００４６】
続いて、定着加圧部を通過する記録用紙Ｐは、定着ベルト１０と加圧ベルト３５とに挟持されて定着ベルト１０に密着した状態で搬送されるとともに、冷却装置４０の放熱板４１にある定着ベルト１０の領域（冷却区間）を通過する際に冷却作用を受けてトナー像Ｔと一緒に所定の温度（例えば５５〜８５℃）になるまで冷却される。この冷却装置による冷却は、定着ベルト１０から剥離されるときの記録用紙の表面温度がトナーの軟化点よりも低温となるような条件を満たすように行うことが好ましい。
【００４７】
この冷却によりトナー像Ｔが凝集固化されるとともに冷却装置４０の放熱板４１を通過した記録用紙Ｐは、剥離用ロール１７で構成される用紙剥離手段において紙自身の腰の強さにより自力で定着ベルト１０から、トナー画像とともに剥離される（図１の矢付き一点鎖線の先端部で示される状態となる）。この剥離された記録用紙Ｐは定着装置外に排出される。これによりトナー像Ｔが記録用紙Ｐに定着される。
【００４８】
このようにして定着された画像は、特に定着ベルト１０の平滑な表面にならい平滑化された光沢感に富む画像として得られる。
【００４９】
特にこの定着装置１では、前述したように対着対象のトナー像Ｔを担持する記録用紙Ｐが押圧ベルト６０による押付区間Ｅを通過した後に定着加圧部に導き入れられることにより、定着ベルト１０に強固に圧接された状態で加熱されて仮定着された状態となり、しかも、その記録用紙Ｐが定着加圧部では少し低めの温度で加熱されるようになる。このため、その定着加圧部を通過した後において記録用紙からの水蒸気の発生が抑えられるようになる。
【００５０】
この結果、定着加圧部を通過した後に水蒸気が発生して記録用紙Ｐが定着ベルト１０から剥離するという剥離ブリスターの発生が抑制される。また、これにより、その剥離ブリスターの発生に起因した光沢ムラ等の定着不良や紙しわの発生も防止され、良好な定着を行うことが可能となる。
【００５１】
また、この定着装置１では、特に押圧ベルト６０が弾性層を形成したものであり、しかも押圧ロール６１〜６３も弾性層を形成したロールであるため、記録用紙Ｐは支持板５０に支持されている定着ベルト１０の外周面に密着性良く圧接される。これにより、記録用紙Ｐは押付区間においてむらなく良好に加熱されるようになる。また、押圧ロール６１〜６３が３つ設置されているため、押圧ベルト６０による記録用紙の押付（加圧）を強くすることができるため、押圧ベルト６０で押し付けられている記録用紙の水蒸気発生による定着ベルト１０からの剥がれを効果的に抑制することができる。この観点からは、押圧ベルト６０を支持するロールのうち定着ベルト１０側に圧接するロールの数は複数にするとよい。
【００５２】
さらに、支持板５０が面状ヒータ５５で加熱されているため、厚紙等の記録用紙を使用した連続する定着が行われて、温度の低い記録用紙が定着ベルト１０や押圧ベルト６０に触れてその温度低下を招きやすい状態が発生するおそれがあっても、その支持板５０により定着ベルト１０等が加熱され続けるため、その温度低下が防止されて記録用紙Ｐを所定の温度で安定して加熱することができる。
【００５３】
次に、この定着装置１における支持板５０の加熱条件などに関する構成を検討するための行った各試験について説明する。
【００５４】
＜試験１＞
この試験１では、前記定着装置１について以下のような条件に設定したうえで、公知のカラープリンタにて一定のテスト用トナー像を形成した記録用紙Ｐを導入して定着動作を行い、そのときに得られた記録用紙における剥離ブリスターに起因した光沢むらや紙しわの発生状況について調べた。
【００５５】
その条件とは次のとおりである。まず、支持体５０の上流側面状ヒータ５６および下流側面状ヒータ５７の加熱温度を同じ温度に設定した。具体的には１００〜１４０℃の範囲で互いに同じ温度に設定した。支持板５０として、ベルト接触面が前記した曲率の湾曲曲面からなり、ベルト回転方向Ａに沿う長さが２２０ｍｍ、厚さが３ｍｍ程度のアルミニウム板を使用した。ここでは、この支持板５０のうちベルト回転方向Ａ上流側の半分部分を上流側領域とし、その下流側となる残り半分部分を下流側領域とした。
【００５６】
また、押圧ベルト６０としては、ポリイミドからなる厚さ１３０μｍの無端状ベルト基材上にシリコーンゴムからなる厚さ１０μｍの弾性層を積層形成した２層構造のものを使用した。また、３つの押圧ロール６１，６２，６３としていずれも、外径が３２ｍｍの金属製ロール芯材にシリコーンゴムからなる厚さが４ｍｍ程度の弾性層を形成した弾性ロールを使用し、それらを図示しない加圧機構により５．７×１０4Ｐａの加圧力で圧接し、定着ベルト１０との間のニップ幅が１５ｍｍとなるように設置した。第一押圧ロール６１は支持板５０のベルト回転方向上流側の端部付近に設置し、第三押圧ロール６３は支持板５０のベルト回転方向下流側の端部付近に設置した。第二押圧ロール６２については、第一押圧ロール６１と第二押圧ロール６２の軸間距離が８０ｍｍ、第二押圧ロール６２と第三押圧ロール６３の軸間距離が１４０ｍｍとなるように設置した。
【００５７】
さらに、定着ベルト１０は、加熱板２０および加熱ロール２５により１００〜１４０℃の温度になるように加熱した。また、定着ベルト１０（加圧ベルト３５も含む）は３５０ｍｍ／ｓの速度で回転駆動させた。冷却装置４０は、加圧ベルト３５のベルト支持ロール３９から剥離用ロール１７の間における記録用紙Ｐの表面温度が９０℃以下の温度になるまで冷却されるように設定した。
【００５８】
また、上記テスト用トナー像としては、記録用紙上の未定着トナー重量が４ｇ／ｍ2のときを濃度１００％とし、１００％、９０％、８０％、…、２０％、１０％というように１０％刻みの濃度で２０×２０ｍｍサイズからなるパッチ像を、シアンおよびマゼンタ色のトナーを用いて用紙の先端部から２５ｍｍあけた位置からその色別に順次１列状に並べるように形成してなる像を用いた。記録用紙Ｐとしては、水蒸気の発生に伴って発生する問題現象が起こりやすくしかも発見されやすいという観点から、定着ベルト１０との密着性が比較的低くかつ用紙内から水蒸気が抜けにくいという特性を有するマット面タイプのコート紙（Ｍｏｄｏ社製：Ｓｉｌｖｅｒ  Ｂｌａｄｅ  Ｍａｔｔｅ、坪量１１５ｇｓｍ）を使用した。
【００５９】
このような条件設定からなる定着装置１を用いた試験１の結果は、記録用紙Ｐを使用した場合であっても、剥離ブリスターに起因した光沢むらや紙しわの発生は認められなかった。光沢むらや紙しわの発生状況については、目視観察をして発生の有無で評価した。
【００６０】
しかし、各定着後の記録用紙上における定着画像を観察したところ、その画像の先端部（定着時の先頭側となる部分）がずれた状態で定着される現象（先端像ずれ）が発生していることが確認された。また、その定着画像を厳密に観察したところ、１０〜４０％程度の低濃度領域からなる定着画像において曲線的な紋様となって見える像欠陥（ハイライト紋様）が発生していることも確認された。
【００６１】
この先端像ずれやハイライト紋様の発生状況について、試験１の結果を以下の基準で評価すると、図３および図４に示すような結果となる。先端像ずれは濃度１００％のパッチ像結果に基づいて評価を行った。
【００６２】
・先端像ずれの評価基準（グレード：Ｇ）
Ｇ０：発生せず。
Ｇ１：目視では見えないが、ルーペ等で確認すると確認できる。
Ｇ２：わずかに発生した。
Ｇ３：明らかに発生している。
Ｇ４：顕著に発生した。
【００６３】
・ハイライト紋様の評価基準（グレード：Ｇ）
Ｇ０：発生せず。
Ｇ１：ごくわずかに発生した。
Ｇ２：わずかに発生した。
Ｇ３：明らかに発生している。
Ｇ４：顕著に発生した。
【００６４】
図３に示されるように、先端像ずれについては、支持板５０の面状ヒータ５５（上流側および下流側面状ヒータ５６，５７）の加熱温度が１３０℃の場合にその発生が抑制されるが、それ以外の加熱温度設定域では発生することがわかる。また、図４に示されるように、ハイライト紋様については、支持板５０の面状ヒータ５５（５６，５７）の加熱温度が１３０℃までの設定域では発生しないが、その加熱温度が１４０℃の高温になると発生することがわかる。また参考までであるが、記録用紙Ｐとして普通紙（非コート紙）や他のコート紙を使用して試験１を同様に行った場合には、その先端像ずれやハイライド紋様の発生は無いかまたは軽微であることが確認されている。
【００６５】
本発明者らの研究によれば、この先端像ずれやハイライト紋様は次のようなメカニズムによって発生しているものと考えられている。
【００６６】
先端像ずれについては、まず、その定着時における記録用紙Ｐが、定着ベルト１０と押圧ベルト６０との間の押付区間を通過した後に定着ベルト１０と加圧ベルト３５の間の定着加圧部に導入させるまでの間において、前述したように記録用紙Ｐ（の特に先頭部）が定着ベルト１０から一時的に離れることがある。この離れる現象は、定着ベルト１０と記録用紙Ｐとの表面状態の違いやトナー像の面積や形成位置の違い等によって、定着ベルト１０と記録用紙Ｐとの密着性が異なる場合に発生しやすい。そして、この一時的に離れる最初の段階において、記録用紙Ｐ上のトナー像の一部が分断されて定着ベルト１０側に転移した状態となり、その後、定着加圧部に突入して記録用紙Ｐが再び定着ベルト１０に圧接する際に、記録用紙Ｐ上のトナー像と定着ベルト１０側に転移したトナー像部分とが完全に一致せず少しずれた状態で合わせられることにより発生しているものと考えられる。
【００６７】
また、この先端像ずれにおけるトナー像の分断は、以下に説明するように、支持体５０で支持される定着ベルト１０への押圧ロール６１〜６３等による記録用紙Ｐの押付時間の違いによって異なるメカニズムで発生しているもの推測される。
【００６８】
つまり、その押付時間が比較的短い場合には、その押付区間でトナー像が十分に加熱されず十分に溶融もされないため、記録用紙にほとんど浸み込むこと（仮定着されること）もなく、その定着ベルト１０と接している側のトナーが記録用紙側にあるトナーから分離されて定着ベルト側に転移してしまう、いわゆるコールドオフセットが発生しているものと考えられる。反対に、その押付時間が比較的長い場合には、その押付区間でトナー像が十分に加熱されて溶融されることで記録用紙に浸み込み始めるが、その定着ベルト１０と接している側に存在して過剰に溶融されて記録用紙に浸み込む前のトナーがそのまま記録用紙側のトナーから分離して定着ベルト側に転移してしまう、いわゆるホットオフセットが発生しているものと考えられる。
【００６９】
一方、ハイライト紋様は、一般に記録用紙が高温で加熱されるほどその内部から水蒸気が発生しやすくなり、記録用紙と定着ベルト１０との密着が十分でないときにはその水蒸気圧により記録用紙が定着ベルト１０から離れることがあるが、特に定着画像のうち低濃度部は高濃度部にくらべてトナー量が少ない分、定着ベルト１０との密着度（接着度）が低いため記録用紙が定着ベルトから局部的に離れやすくなり、これが原因で発生しているものと考えられる。
【００７０】
＜試験２＞
試験２では、試験１で使用した定着装置１における支持板５０の面状ヒータ５５としての上流側面状ヒータ５６および下流側面状ヒータ５７の加熱温度を互いに異ならせた場合、その加熱温度を比較的高めの温度（１４０℃以上）としたとき、先端像ずれやハイライト紋様の発生状況について調べた。
【００７１】
上流側面状ヒータ５６および下流側面状ヒータ５７の加熱温度（Ｔ１，Ｔ２）については、以下のように設定した。すなわち、その上流側面状ヒータ５６の温度（Ｔ１）を、トナーの仮定着が十分になされるような加熱温度（原則１４０℃。ハイライト紋様の場合は１４０℃および１５０℃）に設定したうえで、下流側面状ヒータ５７の温度（Ｔ２）を上記したホットオフセットによるトナー像の分断を回避するために有利となる観点から上流側面状ヒータ５６の温度よりも低い温度（その温度差：Ｔ１−Ｔ２が１０℃，２０℃，３０℃，４０℃となる温度）に設定した。この試験２の結果を図５および図６に示す。
【００７２】
図５に示すように、先端像ずれについては、上流側面状ヒータ５６の加熱温度が１４０℃である場合には上記各面状ヒータ５６，５７の加熱温度差を１０℃以上にすることによりその発生を防止でき、上流側面状ヒータ５６の加熱温度が１５０℃である場合には上記各面状ヒータ５６，５７の加熱温度差（Ｔ１−Ｔ２）を４０℃にすることによりその発生を防止できることがわかる。なお、後者の場合において温度差が３０℃である場合においてＧ２レベルの先端像ずれが発生するが、これはトナー像が上流側面状ヒータ５６の加熱温度１５０℃という高温でいきなり加熱されることで、前述したホットオフセットによるトナー像の分断が発生しているためと推測される。
【００７３】
また、図６に示すように、ハイライト紋様については、上記各面状ヒータ５６，５７の加熱温度差（Ｔ１−Ｔ２）を２０℃以上にすることによりその発生を防止できることがわかる。
【００７４】
以上の試験結果を踏まえて、前記した定着装置１における構成の一部に関して次のように条件設定した。
【００７５】
まず、支持板５０の上流側面状ヒータ５６の加熱温度（Ｔ１）を１４０℃、その下流側面状ヒータ５７の加熱温度（Ｔ２）を１２０℃に設定した。また、この場合において、加熱板２０および加熱ロール２５の加熱温度をいずれも１４０℃に設定した。また、第一加圧ロールの加熱温度１２０℃、第二加圧ロール３１の加熱温度を７０℃に設定した。さらに、冷却装置４０の動作条件を、定着動作時における剥離用ロール１６の温度が７０℃程度に保たれるように設定した。
【００７６】
このように設定した定着装置１により記録用紙Ｐ（前記したマット面タイプのコート紙）を使用して定着を行ったところ、前述したように剥離ブリスターに起因した光沢むらや紙しわの発生がないばかりか、先端像ずれの発生も抑制された良好な定着を行うことが可能であった。また、先端像ずれおよびハイライト紋様の発生を抑制する効果については、定着対象のトナー像の画像濃度、画像面積率などを変更した場合であっても良好に得ることができた。
【００７７】
この場合、特に支持板５０で支持されている定着ベルト１０部分と押圧ベルト６０とが圧接する押付区間に導入されて搬送される記録用紙Ｐは、その支持板５０のベルト回転方向上流側領域を通過する過程においてはその領域を加熱する上流側面状ヒータ５６による比較的高温の加熱温度（Ｔ１＝１４０℃）で加熱されるため（この際、定着ベルト１０も１４０℃で加熱されているため記録用紙は１４０℃で加熱される）、定着対象のトナー像Ｔが十分に加熱溶融されて用紙に染み込んで仮定着された状態になる。
【００７８】
続いて、その支持板５０のベルト回転方向上流領域を通過した後にベルト回転方向下流側領域を通過する過程においてはその領域を加熱する下流側面状ヒータ５７による低めの設置である加熱温度（Ｔ２＝１２０℃）で加熱されるため（この際、定着ベルト１０はその上流側領域で記録用紙に熱を奪われて瞬間的に１２０℃程度まで温度低下する）、記録用紙Ｐに仮定着されたトナー像が再度高温加熱されることにより溶融して定着ベルト１０にホットオフセットして付着してしまうことがない。しかも、この下流側領域の通過時には、支持板５０の上流側領域の通過時よりも低めの加熱温度で加熱されるため、水蒸気発生による記録用紙Ｐの定着ベルト１０からの局部的な浮きも発生しにくくなる。
【００７９】
従って、このように支持板５０側においてベルト回転方向上流側領域およびその下流側領域で加熱温度に温度差（Ｔ１−Ｔ２＝２０℃）が生じるように構成された押付区間を通過して定着処理された記録用紙Ｐは、先端像ずれの発生が抑制されるととともにハイライト紋様の発生も抑制されるようになると推測される。
【００８０】
［他の実施の形態］
前記実施の形態１では、支持板５０を加熱する加熱装置（５５）として、その支持板５０のベルト回転方向上流側領域およびその下流側領域を個別に加熱することができる２つの面状ヒータ５６，５７を使用する場合について説明したが、その加熱装置の構成については特にこれに限定されない。
【００８１】
この他の構成例としては、たとえば、加熱温度の温度差を大きくしたい場合などには、その支持板５０のベルト回転方向上流側領域に面状ヒータ５６を設けるのみで、その下流側領域には面状ヒータ５７を設けない構成を採用してもよい。また、支持板５０のベルト回転方向Ａの上流側端部からその下流側端部の全領域を３つ以上の領域に細分化し、その細分化される３つ以上の領域ごとに加熱温度を変えられる面状ヒータ等を設置する構成を採用することも可能である。
【００８２】
また、この支持板５０のベルト接触面の温度をそのベルト回転方向Ｘの上流側領域よりもその下流側領域の方が低い関係になるように構成する場合、以下のような温度関係に設定するとよい。すなわち、前述したように支持板接触面における上流側領域の温度（Ｔ１）をその接触面のベルト回転方向Ａ上流側の端部近傍（５０ａ）における表面温度とし、その下流側領域の温度（Ｔ２）をその接触面のベルト回転方向下流側の端部近傍（５０ｂ）における表面温度としたうえで（図２）、その支持板接触面における上流側領域とその下流側領域の境界部（５０ｃ：たとえば中間点）の境界部の温度を（Ｔ３）とすると（図２）、その各温度（Ｔ１〜Ｔ３）が以下の条件を満たすように設定するとよい。
【００８３】
好ましくは「Ａ＜Ｂ≦Ｃ」との条件であるが、少なくともＡ＜Ｃ又はＡ＜Ｂの条件であればよい。
【００８４】
また、前記実施の形態１では、記録用紙Ｐを支持板５０に支持されている定着ベルト１０に押し付ける押圧体として、複数の支持ロールに張架された押圧ベルト６０を使用した場合について例示したが、その押圧体としては、押圧ベルト６０を使用せず、押圧ロール６１〜６３のみからなるものであってもよい。また、この場合、押圧体としての押圧ロールは、複数設置することが好ましいが、所要の押付時間を確保できる限りにおいては１つであってもかまわない。押圧体としては、定着ベルト１０の回転や記録用紙Ｐの通過に支障がなければ、固定設定される押圧物を採用することも可能である。
【００８５】
この他、押圧ベルト、押圧ロール等の押圧体の定着ベルトおよび記録用紙と接する接触面には、トナーが付着しにくい材料からなる離型層を形成することも可能である。この場合には、たとえば両面画像形成時において記録用紙の第２面へのトナー像の定着を行う場合、その第一面の定着済みのトナー画像のトナーが押圧体の接触面に転移付着の発生を抑制することが可能となる。
【００８６】
また、前記実施の形態１では、定着ベルト１０を支持する支持体としてその全体が板形態の支持板５０を使用する場合を例示したが、特にその支持体における全体形態について、少なくとも定着ベルト１０の定着加圧部に進入する手前付近となる領域の内周面に対して面接触する接触面を有する形態であればよく、特に限定されない。
【００８７】
さらに、前記実施の形態１では、定着ベルト１０との間で定着加圧部を形成する加圧回転体として加圧ベルト３５を使用する場合について例示したが、その加圧回転体としては、たとえば前記したような加圧ベルト３５を使用せず、一対の加圧ロール３０，３１のみで構成したものを採用することも可能である。この場合は、その加圧ロール３０、３１の間に挟まれる定着ベルト１０とその第二加圧ロール３１との間に形成される定着加圧部を通過した後の記録用紙がその定着ベルト１０に密着した状態のままで冷却装置４０により冷却されながら搬送され、最後に剥離用ロール１６に達した定着ベルト１０から剥離されるようになる。なお、冷却装置４０の冷却方式は他の方式であってもかまわない。また、自然冷却が可能であれば、冷却装置４０は必ずしも設置する必要はない。
【００８８】
この発明の定着装置は、各種画像情報に基づくトナー（乾式現像剤）からなる像を形成して記録用紙に転写し得る画像形成装置の定着手段として使用することができる。また、この定着装置に適用される記録用紙は、定着装置内を搬送してトナー像の定着が可能なものであればよく、たとえば、通常の用紙やコート紙（塗工紙）に限らず、ＯＨＰシート、ハガキ、封筒等のような部材を含むものである。
【図面の簡単な説明】
【００８９】
【図１】実施形態１に係る定着装置の要部を示す概略構成図である。
【図２】図１の定着装置における一部（支持板と押圧ベルトとが対峙する押付区間による仮定着部）を示す拡大図である。
【図３】先端像ずれの発生状況に関する試験１の結果を示すグラフ図である。
【図４】ハイライト紋様の発生状況に関する試験１の結果を示すグラフ図である。
【図５】先端像ずれの発生状況に関する試験２の結果を示すグラフ図である。
【図６】ハイライト紋様の発生状況に関する試験２の結果を示すグラフ図である
【符号の説明】
【００９０】
１…定着装置、１０…定着ベルト、２０…加熱板（加熱装置）、２５…加熱ロール（加熱装置）、３０,３１…加圧ロール（加圧回転体）、３５…加圧ベルト（加圧回転体）、５０…支持板（支持体）、５５…面状ヒータ（加熱装置）、５６…上流側面状ヒータ、５７…下流側面状ヒータ、６０…押圧ベルト（押圧体）、６１〜６３…押圧ロール（または支持ロール）、６４…テンションロール（支持ロール）、Ｔ…トナー像、Ｐ…記録用紙、Ａ…ベルト回転方向。
【図１】
2005300980.tif 000003
【図２】
2005300980.tif 000004
【図３】
2005300980.tif 000005
【図４】
2005300980.tif 000006
【図５】
2005300980.tif 000007
【図６】
2005300980.tif 000008